(57)【要約】【課題】  スポーツ番組のように動的に変化するテレビ番組内で決定的なシーンの発生を予測してユーザに通知できるようにすることを課題とする。【解決手段】  サーバ２では、ユーザに関するメールアドレスを含むユーザ情報がユーザ情報記憶部２２に記憶される。放送局制御装置３には、テレビ番組に関する番組情報を管理するものであり、テレビ番組毎にあらかじめ決められた決定的なシーンの種別に対応させてシーンＩＤを割り当て、各シーンＩＤにフラグを対応させて記憶するスケジュールＤＢ３１が設けられている。このＤＢ３１では、決定的なシーンが直後に発生すると判断された場合にその決定的なシーンのフラグが有効にされる。フラグが有効にされた場合、放送局制御装置３１からサーバ２に対して通知され、サーバ２ではユーザ情報記憶部２２を参照してその有効にされたフラグに対応する番組情報に基づいて決定的なシーンの事前通知メールが生成され、送信される。【選択図】  図１
2005333400.tif 000002
【特許請求の範囲】
【請求項１】
テレビ番組で決定的なシーンが発生する前にユーザに通知する事前通知システムであって、
ユーザに関するメールアドレスを含むユーザ情報を記憶するユーザ情報記憶手段と、
テレビ番組に関する番組情報を管理するものであり、テレビ番組毎にあらかじめ決められた決定的なシーンの種別に対応させてシーンＩＤを割り当て、各シーンＩＤにフラグを対応させて記憶するとともに、前記あらかじめ決められた決定的なシーンが直後に発生すると判断された場合に当該決定的なシーンのフラグを有効にするスケジュール管理手段と、
前記スケジュール管理手段でフラグが有効にされた場合、前記ユーザ情報記憶手段を参照して当該有効にされたフラグに対応する番組情報に基づいて決定的なシーンの事前通知メールを生成するメール生成手段と、
前記メール生成手段で生成されたメールを送信するメール送信手段と、
を備えたことを特徴とする決定的シーン発生の事前通知システム。
【請求項２】
前記決定的シーン発生の事前通知システムは放送局制御装置とサーバとにより構成され、前記放送局制御装置は前記スケジュール管理手段を有し、前記サーバは前記ユーザ情報記憶手段、メール生成手段およびメール送信手段を有しており、前記スケジュール管理手段は、前記スケジュール管理手段でフラグが有効にされた場合に前記サーバに対して前記番組情報に前記有効なシーンＩＤを含めて送信することを特徴とする請求項１に記載の決定的シーン発生の事前通知システム。
【請求項３】
ユーザのメールアドレスは携帯電話の宛先情報であることを特徴とする請求項１または２に記載の決定的シーン発生の事前通知システム。
【請求項４】
放送局制御装置とサーバとの間でテレビ番組で決定的なシーンが発生する前にユーザに通知する事前通知方法であって、
前記放送局制御装置において、テレビ番組に関する番組情報を管理するものであり、テレビ番組毎にあらかじめ決められた決定的なシーンの種別に対応させてシーンＩＤを割り当て、各シーンＩＤにフラグを対応させて記憶しておき、前記あらかじめ決められた決定的なシーンが直後に発生すると判断された場合に当該決定的なシーンのフラグを有効にする第１ステップと、
前記サーバにおいて、ユーザに関するメールアドレスを含むユーザ情報を記憶しており、前記第１ステップでフラグが有効にされた場合、前記放送局制御装置より前記有効にされたフラグとともに当該フラグに対応する番組情報を受け取り、当該番組情報に基づいて決定的なシーンの事前通知メールを生成する第２ステップと、
前記第２ステップで生成されたメールを送信する第ステップと、
を含んだことを特徴とする決定的シーン発生の事前通知方法。
【請求項５】
ユーザのメールアドレスは携帯電話の宛先情報であることを特徴とする請求項４に記載の決定的シーン発生の事前通知システム。
【請求項６】
放送局制御装置とサーバとの間でテレビ番組で決定的なシーンが発生する前にユーザに通知する事前通知プログラムであって、
前記コンピュータに、
前記放送局制御装置において、テレビ番組に関する番組情報を管理するものであり、テレビ番組毎にあらかじめ決められた決定的なシーンの種別に対応させてシーンＩＤを割り当て、各シーンＩＤにフラグを対応させて記憶しておき、前記あらかじめ決められた決定的なシーンが直後に発生すると判断された場合に当該決定的なシーンのフラグを有効にする第１ステップを実行させ、
前記サーバにおいて、ユーザに関するメールアドレスを含むユーザ情報を記憶しており、前記第１ステップでフラグが有効にされた場合、前記放送局制御装置より前記有効にされたフラグとともに当該フラグに対応する番組情報を受け取り、当該番組情報に基づいて決定的なシーンの事前通知メールを生成する第２ステップと、
前記第２ステップで生成されたメールを送信する第ステップと、
を実行させることを特徴とする決定的シーン発生の事前通知プログラム。
【請求項７】
ユーザのメールアドレスは携帯電話の宛先情報であることを特徴とする請求項６に記載の決定的シーン発生の事前通知プログラム。
【発明の詳細な説明】
【技術分野】
【０００１】
本発明は、たとえば、決定的シーン発生の事前通知システム、決定的シーン発生の事前通知方法および決定的シーン発生の事前通知プログラムに関するものである。
【背景技術】
【０００２】
従来、テレビの番組情報としてＥＰＧ（電子番組表）を携帯端末に受信して閲覧しながら番組を検索するシステムが提供されている（特許文献１）。また、利用者がテレビ番組配信端末から無線携帯端末を介して事前に番組開始の報知を受けるシステムが提案されている（特許文献２）。
【特許文献１】国際公開番号ＷＯ０１／１９００２号
【特許文献２】特開２００２−１０８７７６号
【発明の開示】
【発明が解決しようとする課題】
【０００３】
上述した従来例（たとえば特許文献２）においては、テレビ番組の開始を事前に伝達するものであり、すでにタイムスケジュールで決まっているテレビ番組をユーザに知らせることが目的であった。それゆえ、スポーツ番組のように番組内で動的に変化する状況に対応して決定的なシーンに至る前にユーザに状況を通知することは不可能であった。
【０００４】
本発明の目的は、スポーツ番組のように動的に変化するテレビ番組内で決定的なシーンの発生を予測してユーザに通知することが可能な、決定的シーン発生の事前通知システム、決定的シーン発生の事前通知方法および決定的シーン発生の事前通知プログラムを提供する点にある。
【課題を解決するための手段】
【０００５】
上述した課題を解決し、上記目的を達成するため、請求項１の発明に係る決定的シーン発生の事前通知システムは、テレビ番組で決定的なシーンが発生する前にユーザに通知する事前通知システムであって、ユーザに関するメールアドレスを含むユーザ情報を記憶するユーザ情報記憶手段と、テレビ番組に関する番組情報を管理するものであり、テレビ番組毎にあらかじめ決められた決定的なシーンの種別に対応させてシーンＩＤを割り当て、各シーンＩＤにフラグを対応させて記憶するとともに、前記あらかじめ決められた決定的なシーンが直後に発生すると判断された場合に当該決定的なシーンのフラグを有効にするスケジュール管理手段と、前記スケジュール管理手段でフラグが有効にされた場合、前記ユーザ情報記憶手段を参照して当該有効にされたフラグに対応する番組情報に基づいて決定的なシーンの事前通知メールを生成するメール生成手段と、前記メール生成手段で生成されたメールを送信するメール送信手段と、を備えたことを特徴とするものである。
【０００６】
請求項２の発明は、請求項１において、前記決定的シーン発生の事前通知システムは放送局制御装置とサーバとにより構成され、前記放送局制御装置は前記スケジュール管理手段を有し、前記サーバは前記ユーザ情報記憶手段、メール生成手段およびメール送信手段を有しており、前記スケジュール管理手段は、前記スケジュール管理手段でフラグが有効にされた場合に前記サーバに対して前記番組情報に前記有効なシーンＩＤを含めて送信するようにしてもよい。
【０００７】
請求項３の発明は、請求項１または２において、ユーザのメールアドレスは携帯電話の宛先情報であってもよい。
【０００８】
また、請求項４の発明に係る決定的シーン発生の事前通知方法は、放送局制御装置とサーバとの間でテレビ番組で決定的なシーンが発生する前にユーザに通知する事前通知方法であって、前記放送局制御装置において、テレビ番組に関する番組情報を管理するものであり、テレビ番組毎にあらかじめ決められた決定的なシーンの種別に対応させてシーンＩＤを割り当て、各シーンＩＤにフラグを対応させて記憶しておき、前記あらかじめ決められた決定的なシーンが直後に発生すると判断された場合に当該決定的なシーンのフラグを有効にする第１ステップと、前記サーバにおいて、ユーザに関するメールアドレスを含むユーザ情報を記憶しており、前記第１ステップでフラグが有効にされた場合、前記放送局制御装置より前記有効にされたフラグとともに当該フラグに対応する番組情報を受け取り、当該番組情報に基づいて決定的なシーンの事前通知メールを生成する第２ステップと、前記第２ステップで生成されたメールを送信する第ステップと、を含んだことを特徴とするものである。
【０００９】
請求項５の発明は、請求項４において、ユーザのメールアドレスは携帯電話の宛先情報であってもよい。
【００１０】
また、請求項６の発明に係る決定的シーン発生の事前通知プログラムは、放送局制御装置とサーバとの間でテレビ番組で決定的なシーンが発生する前にユーザに通知する事前通知プログラムであって、前記コンピュータに、前記放送局制御装置において、テレビ番組に関する番組情報を管理するものであり、テレビ番組毎にあらかじめ決められた決定的なシーンの種別に対応させてシーンＩＤを割り当て、各シーンＩＤにフラグを対応させて記憶しておき、前記あらかじめ決められた決定的なシーンが直後に発生すると判断された場合に当該決定的なシーンのフラグを有効にする第１ステップを実行させ、前記サーバにおいて、ユーザに関するメールアドレスを含むユーザ情報を記憶しており、前記第１ステップでフラグが有効にされた場合、前記放送局制御装置より前記有効にされたフラグとともに当該フラグに対応する番組情報を受け取り、当該番組情報に基づいて決定的なシーンの事前通知メールを生成する第２ステップと、前記第２ステップで生成されたメールを送信する第ステップと、を実行させることを特徴とするものである。
【００１１】
請求項７の発明は、請求項６において、ユーザのメールアドレスは携帯電話の宛先情報であってもよい。
【発明の効果】
【００１２】
本発明によれば、スポーツ番組のように動的に変化するテレビ番組内で決定的なシーンの発生を予測してユーザに通知することが可能な決定的シーン発生の事前通知システム、決定的シーン発生の事前通知方法および決定的シーン発生の事前通知プログラムを提供できるという効果を奏する。
【発明を実施するための最良の形態】
【００１３】
以下、添付図面を参照して本発明に係る一実施の形態を詳述する。図1は本実施の形態によるネットワークシステムの一例を示す図、図２は本実施の形態による放送局側のスケジュールを説明する図、図３は本実施の形態による携帯電話の一構成例を示すブロック図、図４は本実施の形態によるサーバの一構成例を示すブロック図、そして、図５は本実施の形態によるサーバに記憶される情報を説明する図である。
【００１４】
図１において、１は携帯電話、２はサーバ、３は放送局制御装置、４はインターネット、５は基地局、６は移動体通信網を示す。インターネット４には、移動体通信網６、サーバ２、放送局制御装置３が接続され、相互に通信可能である。携帯電話１は、移動体通信網６に接続される基地局５を介してインターネット４に接続可能である。携帯電話1は、ネットワークを介してサーバ２に接続し、テレビ番組の決定的なシーンに入る前の事前通知を要求することができる。７はテレビ装置である。
【００１５】
放送局制御装置３は、たとえば図２に示したようなスケジュールデータベース（ＤＢ）３１を備えている。このスケジュールＤＢ３１には、たとえばスポーツが種別ＩＤで区別され、サッカーの場合には１、野球の場合には２のように決められている。シーンは、サッカーの場合には、コーナーキックやロスタイムがＩＤによって分けられている。野球の場合には、満塁や３塁進出がＩＤによって分けられている。
【００１６】
スケジュールＤＢ３１には、年月日、曜日、番組の放送時間、放送チャンネル、種別ＩＤ、番組タイトル、シーンが対応付けて記憶される。図２（Ａ）の場合には、番組としてサッカー「Ａ対Ｂ」が組み込まれている。記憶内容としては、２００４年１０月７日（木）１９時〜２１時、１ｃｈに放映されることが示されている。そして、決定的なシーンが起こる前に登録されているユーザに通知すべき内容は、シーンとしてコーナーキック（ＩＤ１）、ロスタイム（ＩＤ２）の２種類である。シーンに関する情報としては、各シーンに対応させて決定的なシーンに近づいていると判断された場合、フラグが有効（１）となり、それ以外は無効（０）となる。このフラグの有効、無効は、スポーツを中継しているカメラから信号として受け取り、切り替えるようにしてもよく、あるいは、人為的に切り替えるようにしてもよい。図２（Ａ）の例では、コーナーキック（ＩＤ１）がまさに決定的なシーンに近づいていることを示している。
【００１７】
また、図２（Ｂ）の場合には、番組として野球「Ｘ対Ｙ」が組み込まれている。記憶内容としては、２００４年１０月９日（土）１８時〜２１時、４ｃｈに放映されることが示されている。そして、決定的なシーンが起こる前に登録されているユーザに通知すべき内容は、シーンとして満塁（ＩＤ１）、３塁進出（ＩＤ２）の２種類である。図２（Ｂ）の例では、満塁（ＩＤ１）がまさに決定的なシーンに近づいていることを示している。
【００１８】
携帯電話１は、たとえばサーバ２との間でＷＥＢ閲覧をすることが可能であり、サーバ２より提供されるページを表示するディスプレイ１１、たとえばディスプレイ１１に表示されるページに対する入力操作を行うためのキー群１２、たとえばサーバ２より提供されるページを表示するブラウザアプリ１３、テレビ装置に対して操作コマンドとなる赤外線を送出する赤外線送出部１４などを備えている。
【００１９】
サーバ２は、たとえば図１に示したように、ＷＥＢプログラム２１、ユーザ情報記憶部２２などを備えている。ユーザ情報記憶部２２は、ユーザに対応させて携帯電話を特定するユーザ識別情報およびユーザの連絡先情報を記憶する。具体的には、図５に示したように、ユーザを特定するユーザＩＤに対応させてその氏名、電話番号、メールアドレス、その他（住所、口座番号など）が記憶される。図５の例では、ユーザＩＤに対して、氏名“たろう”が対応付けられ、さらに電話番号として０９０−１１１１−２２２２、メールアドレスとしてｔａｒｏ＠ａａａ．ｃｏ．ｊｐが対応付けられている。
【００２０】
本実施の形態では、サーバ２では、ユーザに関するメールアドレスを含むユーザ情報がユーザ情報記憶部２２に記憶される。放送局制御装置３には、テレビ番組に関する番組情報を管理するものであり、テレビ番組毎にあらかじめ決められた決定的なシーンの種別に対応させてシーンＩＤを割り当て、各シーンＩＤにフラグを対応させて記憶するスケジュールＤＢ３１が設けられている。スケジュールＤＢ３１では、あらかじめ決められた決定的なシーンが直後に発生すると判断された場合にその決定的なシーンのフラグを有効にされる。スケジュールＤＢ３１でフラグが有効にされた場合、放送局制御装置３１からサーバ２に対して通知されるので、サーバ２ではユーザ情報記憶部２２を参照してその有効にされたフラグに対応する番組情報に基づいて決定的なシーンの事前通知メールが生成され、送信される。
【００２１】
つぎに、携帯電話1の構成について説明する。携帯電話１の例としての構成を、図５に、より詳細に示す。内部システムバス１０９に、通信処理部１０２、サウンド処理部１０５、ＣＰＵ１０６、ＲＯＭ１０７、ＲＡＭ１０８、ディスプレイ１１、キー群１２、赤外線送出部１４などを接続させ、データ、アドレス信号、制御信号などを伝送させることで各種の処理を実現する構成である。
【００２２】
通信処理部１０２は、アンテナ１０１に接続され、アンテナ１０１を介して移動体通信網６と通信を行うものである。この通信処理部１０２により、音声通話やサーバ２との通信を実現することができる。サウンド処理部１０５は、音声出力のためのスピーカ１０３、音声入力のためのマイク１０４をそれぞれ接続させており、受話時や送話時の音声処理を行うものである。
【００２３】
ＣＰＵ１０６は、携帯電話１全体の制御をＲＯＭ１０７に格納されたＯＳにしたがって行うものである。ＲＯＭ１０７は、あらかじめインストールされているＯＳなどのプログラムを格納している。ＣＰＵ１０６は、携帯用の各種アプリケーション（たとえばＪＡＶＡ（登録商標）アプリケーション）により本実施の形態による処理などを制御する。また、このＣＰＵ１０６は、キー群１２からの入力を受け付けて各種の処理を実行させたり、各種の処理に応じてディスプレイ１１への表示を制御したりする。
【００２４】
ＲＡＭ１０８は、本実施の形態による通信を実現するためのＷＥＢブラウザ１３のほか、メーラーアプリ１５、テレビ装置のリモコン操作を行うためのリモコンアプリ１６、着信メロディなどのコンテンツや各種データを格納するワークエリア１７等を備えている。キー群１２は、電話番号、アドレスなどの入力を行ったり、後述するサービス選択実行時の入力を行ったりするための各種キーを備えている。ディスプレイ１１は、撮像画像を表示したり、操作用の案内画面を表示したり、電話やメールの機能を使うときの一般的な表示画面を表示したりするものである。
【００２５】
つぎに、図６、図７、図８および図９を用いて動作について説明する。図６は本実施の形態による画面遷移の一例を説明する図、図７は本実施の形態によるチャンネル切替えを説明する図、図８は本実施の形態による放送局制御装置とサーバ間の処理について説明するフローチャート、そして、図９は本実施の形態による携帯端末の動作を説明するフローチャートである。
【００２６】
まず（図８参照）、放送局制御装置３において、スケジュールＤＢ３１が参照され、有効なシーンが発生したかどうかシーンのＩＤに対応するフラグから判断される（ＢＳ１）。シーンＩＤが１になった瞬間（ＢＳ１のＹＥＳルート）、そのシーンＩＤに対応している放映日時・曜日、放映チャンネル、シーンＩＤ、番組タイトルなどの情報が番組情報としてとサーバ２に送信される（ＢＳ２）。これにより、サーバ２においては、番組情報が受信されると（ＳＶ１）、その受信された番組情報に基づいてユーザ宛のメールが生成される（ＳＶ２）。そして、メールが送信される（ＳＶ３）。
【００２７】
携帯電話１においては、サーバ２よりメールが受信されると（ＭＢ１）、ユーザの操作により開封がなされ（ＭＢ２）、その開封されたメール本文がディスプレイ１１に表示される（ＭＢ３）。たとえば、携帯電話１のユーザが図７（Ａ）に示されるように、テレビ装置７でドラマを視聴していたとする。そこに、図６（Ａ）に示すメールがサーバ２より受信された場合、１ｃｈでサッカーの決定的なシーン（コーナーキック）を見ることができる旨の通知を確認することができる。
【００２８】
メール本文には、チャンネル切替ボタンＢＴＮ３が組み込まれており、ユーザはチャンネル切替ボタンＢＴＮ３を操作して（ＭＢ４、ＭＢ５）、リモコンアプリ１６を起動させることができる（ＭＢ６）。リモコンアプリ１６が起動すると、たとえば図６（Ｂ）に示しように、番組表ＣＢが表示され、カーソルＣＳで所望の番組に切り替えることができる。カーソルＣＳの指定位置で決定ボタンＢＴＮ４が操作されると、その操作に応じて赤外線が出力される（ＭＢ７）。
【００２９】
ここでは、図６（Ｂ）に示されるように、サッカーの放映チャンネルにカーソルＣＳが位置しているので、そのまま決定ボタンＢＴＮ４の操作で１ｃｈに切り替えることができる。これにより、図７（Ｂ）のように、画面が決定的なシーンが起こる直前に視聴環境を整えることができる。そのほか、戻るボタンＢＴＮ２、メニューＢＴＮ１があり、操作に応じてそれぞれの処理が実行される（ＭＢ８）。そして、リモコンアプリ１６が終了操作されると、本処理は終了する（ＭＢ９）。
【００３０】
以上説明したように、本実施の形態によれば、スポーツ番組のように動的に変化するテレビ番組内で決定的なシーンの発生を予測してユーザに通知することが可能である。
【産業上の利用可能性】
【００３１】
本発明は、決定的シーン発生の事前通知システム、決定的シーン発生の事前通知方法および決定的シーン発生の事前通知プログラムを製造する産業で利用される。
【図面の簡単な説明】
【００３２】
【図１】本実施の形態によるネットワークシステムの一例を示す図である。
【図２】本実施の形態による放送局側のスケジュールを説明する図である。
【図３】本実施の形態による携帯電話の一構成例を示すブロック図である。
【図４】本実施の形態によるサーバの一構成例を示すブロック図である。
【図５】本実施の形態によるサーバに記憶される情報を説明する図である。
【図６】本実施の形態による画面遷移の一例を説明する図である。
【図７】本実施の形態によるチャンネル切替えを説明する図である。
【図８】本実施の形態による放送局制御装置とサーバ間の処理について説明するフローチャートである。
【図９】本実施の形態による携帯端末の動作を説明するフローチャートである。
【符号の説明】
【００３３】
１  携帯電話
２  サーバ
３  放送局制御装置
２２  ユーザ情報記憶部
３１  スケジュールＤＢ
【図１】
2005333400.tif 000003
【図２】
2005333400.tif 000004
【図３】
2005333400.tif 000005
【図４】
2005333400.tif 000006
【図５】
2005333400.tif 000007
【図６】
2005333400.tif 000008
【図７】
2005333400.tif 000009
【図８】
2005333400.tif 000010
【図９】
2005333400.tif 000011